(57)【特許請求の範囲】
【請求項１】
光電池システム（２）を交流電源網に接続するための方法であって、前記光電池システム（２）によって生成された直流電圧が測定され、直流電圧が接続試行最小電圧に達すると、直流電圧を出力交流電圧に変換するインバータ（４）が作動され、出力交流電圧は、交流電源網（３）の電源交流電圧と同期され、同期が行われ、前記直流電圧が、接続試行最小電圧より小さいか、または同じ大きさである接続継続最小電圧をさらに上回る場合に、前記インバータ（４）は前記交流電源網（３）と接続される方法において、
前記光電池システム（２）によって生成される直流電圧が降下し、直流電圧が最小給電直流電圧を下回る時に交流電源網と接続された前記インバータ（４）がまず非作動にされ、
該非作動にされたインバータ（４）は、当該インバータ（４）が非作動にされたときに直流電圧が遮断最高電圧を下回るときに初めて、交流電源網（３）から再度分離され、該遮断最高電圧は、交流電源電圧の最高値より大きいかまたは同じ大きさであり、かつ前記接続継続最小電圧より小さく、これにより前記交流電源網（３）から前記光電池システム（２）への電流が阻止され、
前記最小給電直流電圧は前記遮断最高電圧よりも大きく、前記最小給電直流電圧は前記接続継続最小電圧より小さいことを特徴とする方法。
【請求項２】
遮断最高電圧は、電源交流電圧の最高値に安全上乗せ分を加えたものに等しい、ことを特徴とする請求項１記載の方法。
【請求項３】
安全上乗せ分は１〜１０％である、ことを特徴とする請求項２に記載の方法。
【請求項４】
前記交流電源網（３）と接続された前記インバータ（４）は、前記交流電源網（３）から前記インバータ（４）へ電力が流れる場合に非作動にされる、ことを特徴とする請求項１から３までのいずれか一項記載の方法。
【請求項５】
出力交流電圧が電源交流電圧と同期される際に直流電圧が接続継続最小電圧を下回っていれば、前記交流電源網（３）とまだ接続されていない前記インバータ（４）は再び非作動にされる、ことを特徴とする請求項１から４までのいずれか一項記載の方法。
【請求項６】
前記インバータ（４）が非作動にされるとき、および／または前記インバータ（４）が前記交流電源網（３）から分離されるときに時限素子がトリガされ、
該時限素子は所定の時間の間、前記インバータ（４）の新たな作動または交流電源網との前記インバータ（４）の接続を阻止する、ことを特徴とする請求項１から５までのいずれか一項記載の方法。
【請求項７】
前記インバータ（４）は、電動的に切換可能な少なくとも１つの電力保護スイッチ（１３）を介して前記交流電源網（３）と接続される、ことを特徴とする請求項１から６までのいずれか一項記載の方法。
【請求項８】
光電池システム（２）を交流電源網（３）に接続するための装置であって、前記光電池システム（２）によって生成される直流電圧を測定するための直流電圧測定装置（９）と、測定された直流電圧が接続試行最小電圧に達する場合に、直流電圧を出力交流電圧に変換するインバータ（４）を作動する制御部（８）と、出力交流電圧に対する第１の交流電圧測定装置（１０）と、前記交流電源網（３）の電源交流電圧に対する第２の交流電圧測定装置（１１）とを有し、前記制御部（８）は、出力交流電圧を電源交流電圧と同期し、さらに同期化の後、前記インバータ（４）を前記交流電源網（３）と接続するための少なくとも１つの電力スイッチ（５）を有し、前記制御部（８）は、接続試行最小電圧より小さいかまたは同じ大きさである接続継続最小電圧を前記直流電圧がさらに上回る場合だけ、前記電力スイッチ（５）を閉成する装置において、前記制御部（８）は、前記光電池システム（２）によって生成される直流電圧が降下し、直流電圧が最小給電直流電圧を下回る時に、交流電源網と接続された前記インバータ（４）をまず非作動にし、直流電圧が前記インバータ（４）が非作動であるときに遮断最高電圧を下回る場合に初めて、非作動にされている前記インバータ（４）を前記交流電源網（３）から再度分離し、該制御部は前記遮断最高電圧を、電源交流電圧の最高値の大きさに設定するか、または値が前記制御部（８）にプログラミングされている安全上乗せ分だけ最高値より大きく設定し、前記最小給電直流電圧は前記遮断最高電圧よりも大きいことを特徴とする装置。
【請求項９】
安全上乗せ分の値はパーセント値として制御部（８）にプログラミングされている、ことを特徴とする請求項８記載の装置。
【請求項１０】
制御部は、最小給電直流電圧を直流電圧が下回る場合に、前記交流電源網（３）と接続されている前記インバータ（４）を非作動にし、該最小給電直流電圧は前記制御部（８）にプログラミングされているか、または制御部は前記最小給電直流電圧を、電源交流電圧の最高値と同じ大きさに設定するか、または値が前記制御部（８）にプログラミングされている安全上乗せ分だけ電源交流電圧の最高値より大きく設定する、ことを特徴とする請求項８または９記載の装置。
【請求項１１】
前記インバータ（４）から電源に流れる電力のための電力測定装置（１２）が設けられており、前記制御部（８）は、前記インバータ（４）から電源に流れる電力が負になる場合に、電源と接続された前記インバータ（４）を非作動にする、ことを特徴とする請求項８から１０までのいずれか一項記載の装置。
【請求項１２】
前記電力スイッチ（５）は、モータ駆動される電力保護スイッチ（１３）である、ことを特徴とする請求項８から１１までのいずれか一項記載の装置。
【請求項１３】
前記電力スイッチ（５）は、２０，０００を超えない最大許容運転サイクル数を有する、ことを特徴とする請求項８から１２までのいずれか一項記載の装置。
【発明の詳細な説明】
【技術分野】
【０００１】
本発明は、独立方法請求項の上位概念の特徴を備える、光電池システムを交流電源網に接続するための方法、および独立装置請求項の上位概念の特徴を備える、前記方法を実施するための装置に関する。
【背景技術】
【０００２】
基本的に光電池システムは持続的に、すなわちその運転の開始から終了まで交流電源網と接続されたままであり、交流電源網には光電池システムによって形成された電気エネルギーが給電される。しかしこのことは、光電池システムが、入射光線の低下とともに十分な対向電圧をもはや形成しない場合、交流電源網から光電池システムに電流が流れ得ることを意味することとなる。その結果、たとえば夜の光電池システムには電圧が掛かる。電気エネルギーを交流電源網から引き出し、夜の光電池システムに電圧が形成されるのを阻止するため、夕方には交流電源網から光電池システムを分離し、これに朝に再び接続することが通例、実際に行われている。
【０００３】
朝、光電池システムを交流電源網に接続することは、一方ではできるだけ早く、これによりできるだけ多くの電気エネルギーを交流電源網に給電するためにできるだけ早期に行うべきである。同様に、夕方に行う交流電源網からの分離も、この理由からできるだけ遅く行うべきである。しかし他方では、光電池システムが電源網に給電するために必要な電力をまだ提供することができないため中断しなければならない接続試行は、できるだけ稀であるようにすべきである。光電池システムの交流電源網への接続試行が失敗することは、通例は保護器である電力スイッチに対する付加的な運転サイクルが、光電池システムを介して交流電源網に接続されることを意味する。そのため、電力保護スイッチを安全措置として光電池システムと交流電源網との間に設けるべき場合には、高価な保護器の使用が強いられ、この保護器を電力保護スイッチと直列に接続しなければならない。これは規則である。電力保護スイッチは、基本的に、多数の運転サイクルに対して保護器よりも公差が非常に小さい。
【０００４】
光電池システムを交流電源網に接続するための、独立請求項の上位概念による公知の方法および装置では、光電池システムにより生成される直流電圧が、交流電源網への接続後に接続継続最小電圧をさらに上回らない場合に対しては、接続試行が終了され、電源接続を行う電力スイッチが再び開放される。ここでは接続継続最小電圧が、電気エネルギーを光電池システムから交流電源網に給電するための下限であるように選択される。
【０００５】
特許文献１から、光電池システムを交流電源網に接続するための独立請求項の上位概念による光電池インバータが公知である。この光電池インバータではテーブルに、接続継続最小電圧の季節値が記憶されている。光電池システムによって生成される直流電圧が接続継続最小電圧の目下の季節値に達すると、光電池インバータを介して光電池システムを交流電源網に上手く接続することができる。このようにして、接続試行のための光電池システムの十分な電力能力に対する基準として用いられる、光電池システムの直流電圧に及ぼす季節的影響を考慮することができる。とりわけこの季節的影響は、接続試行が行われるときの朝の気温に基づくものである。
【０００６】
特許文献２から、光電池システムを交流電源網に接続するための独立請求項の上位概念による方法および装置が公知であり、ここでは、接続試行最小電圧の先行の値に基づく先行の接続試行が失敗した場合、接続試行最小電圧を高めることにより、光電池システムの交流電源網への朝の接続時間が調整される。
【０００７】
前記２つのやり方では、一方ではできるだけ大量の電気エネルギーを光電池システムから交流電源網に給電することと、他方では失敗する接続試行の数をできるだけ少なくすることとの基本的なコンフリクトが解決されない。できるだけ大量の電気エネルギーを光電池システムから交流電源網に給電するためには、光電池システムによって生成された直流電圧が、朝、最初の接続試行では危険を冒すことになる程比較的低く設定され、あるいは最終的に中断すべき接続試行の数を小さくするためには、これが比較的高く設定される。接続試行最小電圧を適合または適応するいずれの形式も、前記２つの基準の下で設定しなければならない具体的な接続試行最小電圧の範囲を良好に限定できるのがせいぜいである。
【０００８】
特許文献３から、光電池システムを交流電源網に接続する方法が公知であり、ここでは光電池システムによって生成される直流電圧が測定され、直流電圧が接続電圧に達すると、直流電圧を出力交流電圧に変換するインバータが作動され、交流電源網に接続され、電源交流電圧の最高値よりも上にある遮断電圧を直流電圧が下回ると、インバータが再び交流電源網から分離され、非作動にされる。
【先行技術文献】
【特許文献】
【０００９】
【特許文献１】ＤＥ−Ｔ５−１１２００７０００９７
【特許文献２】米国特許二次公報７２６９０３６号
【特許文献３】日本特許公開公報０８１２６２０７号
【発明の概要】
【発明が解決しようとする課題】
【００１０】
本発明の基礎とする課題は、独立方法請求項の上位概念の特徴を備える、光電池システムを交流電源網に接続するための方法、およびこのような方法を実施するための、独立装置請求項の上位概念の特徴を備える装置において、光電池システムを交流電源網に接続するために使用される電力スイッチの運転サイクルの発生数を格段に低減することである。
【課題を解決するための手段】
【００１１】
本発明の課題は、独立方法請求項の特徴を備える方法によって、ならびに装置請求項の特徴を備える装置によって解決される。新規の方法および新規の装置の好ましい実施形態は、従属請求項に定義されている。
【００１２】
発明の説明
光電池システムを交流電源網に接続するための新規の方法では、光電池システムによって生成される直流電圧が遮断最高電圧を下回るより早期に、インバータが交流電源網から再び遮断されることはなく、この遮断最高電圧は、電源交流電圧の最高値より低くなく、かつ接続継続最小電圧より高くもない。遮断最高電圧が交流電源の最高値より低くないことにより、これは、電流が交流電源網からインバータを介して光電池システムに流れることを阻止する。ここで遮断最高電圧は好ましくは、交流電源電圧の最高値に小さな安全上乗せ分、たとえば１から１０％、とりわけ３から７％、すなわち約５％の安全上乗せ分を加えたものに等しい。これに対して新規の方法では、いずれの季節であるか、温度、または先行の接続試行に遮断最高電圧が依存しない。電源交流電圧は規則的に測定されるから、この測定結果に基づいて、遮断最高電圧を連続的に最適値に調整することができる。遮断最高電圧のほんの小さな安全上乗せ分を電源交流電圧の最高値に加えることによって、遮断最高電圧が光電池システムにより調達される次のような直流電圧よりもかなり低くなる。すなわちこの直流電圧は、従来技術によれば、光電池システムが交流電源網にすでに接続された後での接続試行が、電力スイッチの新たな開放によって遮断されることになる直流電圧である。したがって新規の方法では、交流電源網へのスイッチが再開放されるような場合は稀にしか発生しない。理想的には、昼間、すなわち夕方に一度だけである。これはとりわけ、接続試行最小電圧が、電気エネルギーを交流電源網にできるだけ早期に供給するために比較的小さく選択される場合、すなわち遮断最高電圧よりもはるか上には選択されない場合にも当てはまる。
【００１３】
新規の方法は、光電池システムの過度に低い電力能力の結果である、光電池システムにより生成される直流電圧の低下に対して、交流電源網への電力スイッチを再開放することによってではなく、交流電源網と接続されたインバータをまず非作動にすることによって応答する。
【００１４】
この非作動は、光電池システムにより生成される直流電圧が最小給電直流電圧を下回る場合に行うことができる。この最小給電直流電圧は好ましくは、遮断最高電圧よりも高く、この最小給電直流電圧は理想的には、交流電源網と接続されたインバータが非作動になっても交流電源網から光電池システムへの電力の伝達を阻止するように選択される。
【００１５】
光電池システムによって生成される直流電圧が下回ると交流電源網と接続されたインバータが非作動にされるような最小給電直流電圧ではなく、交流電源網からの電力がインバータに流れるのが阻止されるように最小給電直流電圧を選択すべきであり、そのようにすれば、インバータから出力される電力を連続的に検出する場合には、電源と接続されたインバータを非作動にするために、光電池システムから交流電源網への所望の電力の流れが反転することも直接的に遮断される。新規の方法のこの実施形態は好ましい。
【００１６】
インバータの非作動により、光電池システムは電力の引き出しによってそれ以上負荷されない。これにより光電池システムはアイドリングとなり、ここでは光電池システムがいったん接続試行最小電圧に達していれば、通例は達するが、少なくとも遮断最高電圧は維持される。光電池システム自体がその状態に達しない場合だけ、新規の方法でも、すでに非作動にされているインバータが交流電源網から分離される。
【００１７】
この新規の方法では、典型的にはインバータに後置接続された正弦波フィルタが、インバータが非作動であるときだけ交流電源網に接続されたままとなり、正弦波フィルタと交流電源網との間で無効電力が往復することが甘受される。そのため、電力スイッチを介して一度達成された接続はそのまま維持され、電力の交流電源網への給電を新たに開始するためには、インバータだけを再作動すればよい。
【００１８】
接続試行の開始に当たり、出力交流電圧が電源交流電圧と同期される際に直流電圧が接続試行継続電圧を下回っていれば、交流電源網とまだ接続されていないインバータは再び非作動にされる。この場合、光電池システムの電力は、インバータの出力交流電圧と電源交流電圧との同期に必要な小さな負荷に耐える程にはまだ十分に達していない。このように接続試行が早期に遮断されれば、交流電源網への電力スイッチはまだ負荷されない。
【００１９】
好ましくは新規の方法では、交流電源網への接続の前にまたはその後にインバータが非作動にされる場合、および／またはインバータが電源から分離される場合、時限素子がトリガされる。この時限素子は、意味のある時間の間、インバータの作動または電源とのインバータの新たな接続を阻止する。
【００２０】
新規の方法では、接続試行最小電圧が、季節および／または光電池システムの温度に依存することができ、および／または先行の接続試行での経験に基づいて適応的に設定することができる。ここで新規の方法では、接続試行最小電圧の適応的適合も、適合が最後に実行されたインバータの出力交流電圧と電源交流電圧との同期の際の経験に基づくものであり、したがって光電池システムの小さな負荷に基づくものであり、しかし交流電源網への電力スイッチの本来の閉成時の経験に基づくものではない点で既存の従来技術とは相違する。
【００２１】
しかし接続試行最小電圧は固定的に設定することも、電源交流電圧に固定的に依存するように設定することもできる。ここで新規の方法では、インバータの出力調整と電源交流電圧との同期が成功すらしない場合にのみ、接続試行が実際に失敗することを考慮すべきである。その後、交流電源網への電力スイッチは閉じられる。このことは同期によって無負荷で、または実際には少なくとも近似的に無負荷で行うことができる。引き続く光電池システムの負荷は、これは電圧降下を引き起こし得るが、もっぱら光電池システムから交流電源網への電気エネルギーの給電にだけ基づくものであり、交流電源網へのスイッチを再開放することなく、このインバータを非作動にすることによってこの負荷をゼロに戻すことができる。
【００２２】
光電池システムを交流電源網に接続する本発明の方法に基づく電力スイッチの実際の運転サイクルの数を格段に低減することにより、新規の方法での接続を、モータ駆動される電力保護スイッチを介して行うことができる。この電力保護スイッチは保護器と比較して、許容運転サイクル数が非常に少ない、すなわち運転サイクルにおける寿命が非常に短い。
【００２３】
本発明の装置は制御部を有しており、この制御部は、直流電圧測定装置によって検出された直流電圧が遮断最高電圧を下回るより早期にインバータを交流電源網から再分離しない。制御部は、交流電圧測定装置によって測定された電源交流電圧の最高値に依存してこの遮断最高電圧を発生する。
【００２４】
好ましくは制御部は、電源交流電圧の最高値と、パーセント値が制御部にプログラミングされている安全上乗せ分とから遮断最高電圧を発生する。
【００２５】
さらに、インバータから電源に放出される電力の測定値がゼロより小さい場合に、制御部がインバータの電力測定装置に依存して、電源と接続されたインバータを非作動にするのが好ましい。
【００２６】
新規の装置の商業的なとくに興味深い実施形態では、インバータを交流電源網に接続する各電力スイッチが、モータ駆動される電力保護スイッチである。したがってこのような電力保護スイッチが約１０，０００から２０，０００の比較的少数の許容運転サイクルしか有しない場合でも、新規の装置の寿命は２０年以上が達成される。なぜなら典型的には一日に１回の運転サイクルしか使用されないからである。
【００２７】
本発明の有利な改善形態は、特許請求の範囲、明細書、および図面から明らかである。明細書冒頭部に述べた特徴および複数の特徴の組合せの利点は単なる例であり、必然的に本発明の実施形態によって利点を達成しなくても、択一的にまたは累積的に作用することができる。さらなる特徴は、図面、とりわけ複数の構成部材ならびにそれらの作用結合の関連構成の図面から理解される。本発明の種々の実施形態の特徴の組合せ、または異なる特許請求の範囲の特徴の組合せは、特許請求の範囲に選択された引用と異なっても可能であり、これに関して動機付けになる。これは、別個の図面に図示されている特徴、またはそれらの説明に述べられた特徴についても当てはまる。これらの特徴は、異なる特許請求の範囲の特徴と組み合わせることもできる。同様に特許請求の範囲に挙げられた特徴は、本発明のさらなる実施形態に割り当てることができる。
【００２８】
以下、本発明を、図面に示された好ましい実施例に基づきさらに説明、記述する。
【図面の簡単な説明】
【００２９】
【図１】光電池システムを交流電源網に接続するための新規の装置の第１の実施形態における構造を示す図であり、ここで交流電源網は単相電源である。
【図２】交流電源網が三相電源である場合に対する新規の装置の構造を示す図である。
【図３】図２の装置のインバータの基本構造を示す図である。
【発明を実施するための形態】
【００３０】
図１に示された装置１は、光電池システム２を交流電源網３に接続するために用いられる。装置１は実質的構成部材として、インバータ４と電力スイッチ５とを有し、電力スイッチ５はインバータ４に後置接続された正弦波フィルタ６とトランス７との間に設けられている。トランス７は、交流電源網３への電力を、同時に導電分離してデカップリングするために設けられている。トランス７は省略することもできる。インバータ４と電力スイッチ５は制御部８によって制御される。制御部８は入力値として、直流電圧測定装置９により測定され、光電池システム２によって生成される直流電圧と、交流電圧測定装置１０により測定される、正弦波フィルタ６に後置されたインバータ４の出力交流電圧と、交流電圧測定装置１１によって検出される電源交流電圧と、そしてインバータ４を介して流れ、電力測定装置１２によって検出される電力とを使用する。ここで交流電圧測定装置１０と１１により、それぞれの交流電圧の大きさだけでなく、それらの位相も検出される。光電池システム２が直流電圧を生成せず、電力スイッチ５が開放されている夜の状況、すなわち装置１が実質的に無電圧である状況から出発して、装置１の機能と、とりわけその制御部８について説明する。電圧測定装置９によって測定される直流電圧が接続試行最小電圧に達するまで、インバータ４は非作動であり、電力スイッチは開放している。接続試行最小電圧に達すると、制御部８はインバータ４を、さしあたり電力スイッチ５が開放されたままで作動する。続いて制御部８は、インバータ４の対応する制御により、交流電圧測定装置１０によって検出される出力交流電圧の大きさと位相を、交流電圧測定装置１１によって検出される電源交流電圧と同期する。ここで光電池システム２によって生成される直流電圧は、光電池システムから電力が結果としてわずかに取り出される際に、この直流電圧が接続継続最小電圧より上に留まるかどうか監視される。直流電圧が接続継続最小電圧より上に留まらなければ、接続試行は中断され、設定された時間の後、同じ条件の下で再度開始される。光電池システム２によって生成された直流電圧が落ち込まなければ、制御部８は電力スイッチ５を閉成し、インバータ４を交流電源網３と接続する。このことは、出力交流電圧と電源交流電圧との同期に基づいて、少なくとも電力が流れずに行われる。すなわちこれは、光電池システム２の付加的な負荷とはならない。このような付加的な負荷は、制御部８がインバータ４を、電力が光電池システム２から交流電源網３に給電されるように制御して初めて生じる。この電力は、電力検出装置１２によって検出される。光電池システム２の電力能力が、光電池システム２からインバータ４を介して電力を交流電源網３に給電することができなくなるまで低下すると、どのような理由であれ常に、制御部８はインバータ４を非作動にする。しかし制御部８は電力スイッチ５を閉じたままにする。交流電圧測定装置１１によって検出される電源交流電圧の最高値が、光電池システム２によって生成され、同じに留まる直流電圧と比較して、インバータ４を介して光電池システム２に電流が流れる危険性があるほど大きい場合にだけ、制御部８は電力スイッチ５を開放する。開放するのは普通、光電池システム２への入射光線が、夜のために光電池システム２を交流電源網３から分離するべきまで、夕方に低下した場合だけである。光電池システム２によって生成された直流電圧が下回ると電力スイッチ５が開放される遮断最高電圧は、制御部８により典型的には、電源交流電圧の最高値に、たとえば５％の安全上乗せ分を加えたものとして設定される。したがって通常の場合、電力スイッチ５は一日に一度だけ開放され、閉鎖される。すなわちただ１回の運転サイクルによってしか負荷されない。運転サイクルによる負荷が小さいため、電力スイッチ５を、ここではモータ駆動される電力保護スイッチ１３として構成することができ、したがって電力保護機能も同時に満たす。
【００３１】
図２の装置１の実施形態は図１の実施形態とは、インバータ４がここでは光電池システム２からの電気エネルギーを三相交流電源網３に給電し、電力スイッチ５と交流電源網３との間にトランスが設けられていないことでのみ相違する。ここには三相トランス、好ましくは中点電圧トランスを設けることもできる。交流電圧測定装置１０と１１は、分かりやすくするためにだけ省略してあるが、基本的にここにも設けられている。装置１の構成のためには、インバータ４および正弦波フィルタ６ならびに光電池システム２と交流電源網３自体の詳細は重要ではない。さらに追加の回路素子および保護素子、たとえばスイッチ、過電圧アレスタ、ヒューズを光電池システム２とインバータ４および／またはブーストコンバータ／バックコンバータ等を設けることもできる。
【００３２】
図３は、図２の装置のインバータ４の可能な基本構造を示す。この基本構造はハーフブリッジ１４を有し、このハーフブリッジ１４を介して三相交流電源網のそれぞれ１つの相が、光電池システム２によって生成される直流電圧の２つの極に交互に接触接続される。各ハーフブリッジ１４はクロック制御される２つのスイッチ１５から形成されており、これらのスイッチ１５にはそれぞれ１つのフリーホイールダイオード１６が並列に接続されている。このフリーホイールダイオード１６を介して基本的には、インバータ４が交流電源網３に接続されている限りインバータ４が作動していなくても、すなわちインバータ４のスイッチ１５がクロック制御されずに持続的に開放している場合であっても、電流が交流電源網３から反対方向に光電池システム２に流れることができる。フリーホイールダイオードを備えるインバータでのこの潜在的な電流の流れは、本発明では、光電池システム２によって生成される直流電圧が交流電源電圧の最高値に接近すると、インバータ４が交流電源網３から再び分離されることによって阻止される。
【符号の説明】
【００３３】
１  装置
２  光電池システム
３  交流電源網
４  インバータ
５  電力スイッチ
６  正弦波フィルタ
７  トランス
８  制御部
９  直流電圧測定装置
１０  交流電圧測定装置
１１  交流電圧測定装置
１２  電力測定装置
１３  電力保護スイッチ
１４  ハーフブリッジ
１５  クロック制御されるスイッチ
１６  フリーホイールダイオード
【図１】
0005725439.tif 000002
【図２】
0005725439.tif 000003
【図３】
0005725439.tif 000004